(57)【要約】【課題】軽くコンパクトで、供用後の上載物の変更にも柔軟に対応できる、二重床の架台ユニットに用いられる脚フレームとその製造方法を提案する。【解決手段】床スラブ上に立設される一対の脚部１１，１１と、当該一対の脚部１１，１１を連結する連結部１２と、前記各脚部１１，１１の上端から梁材２０の長手方向に張り出す一対の支持部１３，１３とを備える架台ユニット用脚フレーム１０である。また、脚フレーム１０は、梁材２０が載置される梁材載置面１３Ａを予め余分に肉盛りした状態で全体を鋳造し、その後、梁材載置面１３Ａを面削して製造される。【選択図】      図１
2004278188.tif 000002
【特許請求の範囲】
【請求項１】
床スラブ上に構築される二重床を構成する架台ユニット用脚フレームであって、床スラブ上に立設される一対の脚部と、当該一対の脚部を連結する連結部と、前記各脚部の上端から梁材の長手方向に張り出す一対の支持部と、を備えることを特徴とする架台ユニット用脚フレーム。
【請求項２】
前記各支持部は、前記各脚部の上端から梁材の長手方向に沿って互いに逆向きとなる二つの張り出し部で形成されていることを特徴とする請求項１に記載の架台ユニット用脚フレーム。
【請求項３】
前記二つの張り出し部は、一方が他方よりも大きく張り出すように形成されていることを特徴とする請求項２に記載の架台ユニット用脚フレーム。
【請求項４】
床スラブ上に立設され、その上で二重床用の梁材を支持する架台ユニット用脚フレームを製造する方法であって、
前記梁材が載置される梁材載置面を予め余分に肉盛りした状態で全体を鋳造し、その後、前記梁材載置面を面削することを特徴とする架台ユニット用脚フレームの製造方法。
【発明の詳細な説明】
【０００１】
【発明の属する技術分野】
本発明は、通信機械、電算機、電話交換機、空調機等のような重量装置類が収容される室に設けられる二重床を構成する架台ユニット用脚フレームの構造と、その製造方法に関する。
【０００２】
【従来の技術】
電算機、電話交換機等のような重量装置類が収容される室に設けられる二重床の構造としては、図８に示すように、重量装置類Ｄを搭載できるよう四つの脚部を有した脚フレーム１０’を直線状に床スラブ上に複数配列固定して架台列を形成し、当該架台列を所定間隔で複数並列状に設けて、当該架台列間に床パネル３０’を架け渡したものがある（特許文献１参照）。
【０００３】
【特許文献１】
実公平５−４３１５４号公報（第１−２頁，第１図）
【０００４】
【発明が解決しようとする課題】
しかしながら、このような二重床に用いられる脚フレーム１０’は四つの脚部を有するため、重く、かつ、嵩張って、施工性が悪い。
また、架台列を形成するために脚フレーム１０’，１０’同士を梁材２０’で連結しているが、この梁材２０’の天端面と脚フレーム１０’の天端面が同一高さとなっているため、たとえば部分的に架台列を補強するために梁材２０’を下から脚フレーム１０’で支持しようとする場合、梁材２０’の高さ分低い脚フレームを特別に制作すれば可能であるが、特殊サイズの脚フレームを用意する必要があり高価となるなど、供用後の上載物の変更に対して柔軟な対応が困難である。
【０００５】
本発明はかかる事情に鑑みてなされたものであり、その目的とするところは、軽くコンパクトで、供用後の上載物の変更にも柔軟に対応できる、二重床の架台ユニットに用いられる脚フレームとその製造方法を提案する点にある。
【０００６】
【課題を解決するための手段】
本発明の請求項１に係る架台ユニット用脚フレームは、床スラブ上に構築される二重床を構成する架台ユニット用脚フレームであって、床スラブ上に立設される一対の脚部と、当該一対の脚部を連結する連結部と、前記各脚部の上端から梁材の長手方向に張り出す一対の支持部と、を備えることを特徴とする。
【０００７】
かかる架台ユニット用脚フレームは、一対の脚部、つまり二つの脚部で床スラブ上に立設されるので、四つの脚部で床スラブ上に立設される従来の脚フレームに比べて、軽く、コンパクトになり、施工性が格段によくなる。
また、この脚フレームを床スラブ上に複数配列固定し、各脚フレームの支持部の上に梁材を架設して架台ユニットを形成した後、上載物の位置や重量の変更があれば、要補強位置の梁材の下面に脚フレームを追加配置することによって、事後的に梁材を補強することが可能である。
【０００８】
本発明の請求項２に係る架台ユニット用脚フレームは、請求項１に記載の架台ユニット用脚フレームにおいて、前記各支持部は、前記各脚部の上端から梁材の長手方向に沿って互いに逆向きとなる二つの張り出し部で形成されていることを特徴とする。
【０００９】
かかる架台ユニット用脚フレームは、各支持部が各脚部の上端から梁材の長手方向に沿って互いに逆向きとなる二つの張り出し部で形成され、側面視で各脚部の左右両側に張り出し部が形成された格好となっているので、梁材を載せる面が大きく、梁材を固定するボルトを挿入するためのボルト孔を形成しやすくなる。
【００１０】
本発明の請求項３に係る架台ユニット用脚フレームは、請求項２に記載の架台ユニット用脚フレームにおいて、前記二つの張り出し部は、一方が他方よりも大きく張り出すように形成されていることを特徴とする。
【００１１】
かかる架台ユニット用脚フレームは、二つの張り出し部のうちの一方が他方よりも大きく張り出しているので、張り出し長さの小さいほうを壁際に向けて配置することにより、壁際においても容易に納めることができる。
【００１２】
また、本発明の請求項４に係る架台ユニット用脚フレームの製造方法は、床スラブ上に立設され、その上で二重床用の梁材を支持する架台ユニット用脚フレームを製造する方法であって、前記梁材が載置される梁材載置面を予め余分に肉盛りした状態で全体を鋳造し、その後、前記梁材載置面を面削することを特徴とする。
【００１３】
脚フレームが鋳物製である場合、鋳造時及び熱処理時の捩れや寸法誤差等により、現実には各脚フレームの各梁材載置面の寸法精度が設計どおりに揃わないことが多い。しかし、梁材載置面を予め余分に肉盛りした状態で脚フレーム全体を鋳造し、その後、梁材載置面を面削するようにすれば、施工時の各梁材載置面を正確に一定に揃えることが可能となり、肉盛り部を鋳造時の型抜き勾配として利用することもできる。
【００１４】
【発明の実施の形態】
以下、添付図面を参照して、本発明の実施の形態を詳細に説明する。なお、説明において、同一要素には同一符号を用い、重複する説明は省略する。
【００１５】
図１は本発明に係る架台ユニット用脚フレーム（以下、単に「脚フレーム」という。）の一実施形態を表す斜視図であり、図２は同脚フレームの使用状態を表す正面図、図３は同側面図である。これらの図に示すように、脚フレーム１０は、二本一対の脚部１１，１１と、これら脚部１１，１１を互いに連結する連結部１２と、脚部１１，１１の上端にそれぞれ形成された支持部１３，１３とを備えており、アルミニウム合金で概ね門形に鋳造形成されている。各脚部１１の下端部にはベースプレート１４及びレベル調整ボルト１５が取り付けられており、レベル調整ボルト１５に螺合しているナット１６，１７をまわすことにより、脚フレーム１０全体の高さを調整することができるようになっている。脚フレーム１０は、このように二本一対の脚部１１，１１によって床スラブ上に立設固定されるものであり、しかもアルミニウム合金製であるので、従来の四つの脚部を備えたスチール製の脚フレームに比べて大幅に軽く、コンパクトなものとなっており、施工性を格段に向上させることができる。
【００１６】
支持部１３の上面は、梁材２０が載置固定される梁材載置面１３Ａとして形成されている。支持部１３は、脚部１１の上端から梁材２０の長手方向（架設方向）に沿った方向の両側に互いに逆向きに張り出した二つの張り出し部１３ａ，１３ｂで形成されており、所定位置に複数のボルト孔１３ｃ，１３ｃ，…が穿設されている。そして、図３に示すように脚フレーム１０を側面視したときの脚部１１の中心線を基準とすれば、張り出し部１３ａの張り出し長さＬａは張り出し部１３ｂの張り出し長さＬｂよりも大きくなっている。
なお、脚部１１，１１及び連結部１２には、床下空間を流通する調和空気を通すための開口部１８，１８，…が形成されている。
【００１７】
そして、図４に示すように、脚フレーム１０を床スラブ上に三個一組で並べ、これらを連結するように各脚フレーム１０の梁材載置面１３Ａに二本一対の梁材２０，２０を載置してボルト等で固定することにより、二重床を構成するための架台ユニットＵが形成される。この架台ユニットＵの構造は、側面視したときに、一本の梁材２０を三つの支点たる脚フレーム１０，１０，１０で支持した連続梁形式であるので、梁材２０は断面性能の比較的小さいものを利用することが可能である。
【００１８】
さらに図１に示すように、脚フレーム１０の支持部１３は、梁材２０の長手方向に沿った方向の両側に互いに逆向きに張り出した二つの張り出し部１３ａ，１３ｂで形成され、梁材載置面１３Ａを梁材２０の長手方向に沿って大きく確保することができるので、梁材２０を梁材載置面１３Ａに対して二箇所以上においてボルト等で固定することができる。そしてその結果、当該位置において連続梁が剛に支持された構造形式となるので、梁材２０の断面性能を更に小さくすることも可能である。
【００１９】
また図４に示すように、架台ユニットＵは、梁材２０が脚フレーム１０の梁材載置面１３Ａに載置固定された構成であるので、供用後の上載物の変更等の事情により部分的に当該梁材２０を補強する必要が生じても、任意の位置において梁材２０の下方に脚フレーム１０を追加設置することが可能であるなど、供用後の上載物の変更に柔軟に対応可能となっている。
【００２０】
このような架台ユニットＵは、たとえば図５に示すように、床スラブ上に複数設置されて重量装置類設置領域Ｇを形成する。隣り合う重量装置類設置領域Ｇ，Ｇの間の梁材２０，２０間は、床パネル３０が架設されて一般通路Ｉとなる。また、重量装置類設置領域Ｇ及び一般通路Ｉに直交するように主幹通路Ｓ、空調機設置領域Ｋが形成されている。
【００２１】
ここで、脚フレーム１０の張り出し部１３ｂの張り出し長さＬｂは張り出し部１３ａの張り出し長さＬａよりも小さくなっているので、図６に示すように、架台ユニットＵのうちの最も壁Ｗに近い脚フレーム１０の張り出し部１３ｂを壁Ｗ側に向けて配置すれば、壁際においても脚フレーム１０をきっちり納めることが可能である。
【００２２】
また、脚フレーム１０が鋳物製である場合、鋳造時及び熱処理時の捩れや寸法誤差等により、現実には各梁材載置面１３Ａの平滑度合、一の脚フレーム１０における一対の梁材載置面１３Ａ，１３Ａの高さの同一度合、異なる脚フレーム１０，１０同士の梁材載置面１３Ａの高さの同一度合などについて、設計どおりの寸法水準を確保することが困難なことが多い。
このような問題を解決するため、本実施形態の脚フレーム１０は、たとえば図７に示すように、構造的に必要な支持部１３の厚みｔ１を確保した最終的な梁材載置面１３Ａに予め余分に肉盛りした状態で鋳造し、熱処理後に梁材載置面１３Ａをフライス盤等で面削することにより肉盛り部１９を削除してある。肉盛り部１９は、たとえば鋳造時及び熱処理時の捩れを見込んで確保した嵩上げ部１９ａと、鋳造時の型抜き勾配として確保した勾配部１９ｂとで形成されることが望ましい。嵩上げ部１９ａの高さｔ２はたとえば２ｍｍであり、勾配部１９ｂは、たとえば張り出し部１３ａの前端辺から張り出し部１３ｂの後端に向かってθ＝１°で立ち上がるものとする。
【００２３】
このように、梁材載置面１３Ａに予め余分に肉盛りした状態で脚フレーム１０の全体を鋳造し、その後に梁材載置面１３Ａを面削するようにすれば、施工時の各梁材載置面１３Ａを平滑に仕上げられるとともに、一の脚フレーム１０における一対の梁材載置面１３Ａ，１３Ａの高さを正確に揃え、また、異なる脚フレーム１０，１０同士における梁材載置面１３Ａの高さを正確に揃えることができるので、施工時のレベル調整が格段に楽になり、施工品質を担保できる。また、肉盛り部１９は、鋳造時に必ず必要となる型抜き勾配として利用することもできるので、鋳型の設計もしやすくなる。
【００２４】
以上、本発明の一実施形態を説明したが、本発明はこれに限定されることなく、発明の趣旨に応じた適宜の変更実施が可能であることはいうまでもない。たとえば、床架台たる脚フレーム１０について、脚部１１と連結部１２とを別体に形成してボルト等で連結する構造としたり、脚部１１の本数を三本以上としたりしてもよい。
【００２５】
【発明の効果】
以上のように、本発明に係る脚フレームは、軽く、かつ、コンパクトであるので、施工が格段に楽になる。また、この脚フレームを用いた架台ユニットは、上載物の位置や重量の変更時に、要補強位置の梁材の下面に脚フレームを追加配置することによって、事後的に梁材を容易に補強することができる。また、脚フレームは梁材載置面を大きく確保できる形状であるので、梁材を載置するためのボルト孔を形成しやすく、梁材を強固に固定できる。さらに、支持部を形成する二つの張り出し部のうち一方が他方よりも大きく張り出しているので、張り出し長さの小さいほうを壁際に向けて配置することにより、壁際においても脚フレームを容易に納めることができる。
【００２６】
また、本発明に係る脚フレームの製造方法によれば、梁材載置面を予め余分に肉盛りした状態で脚フレーム全体を鋳造し、その後、梁材載置面を面削するので、施工時の各梁材載置面を正確に一定に揃えることが可能となり、肉盛り部を鋳造時の型抜き勾配として利用することもできる。
【図面の簡単な説明】
【図１】本発明に係る脚フレームの一実施形態を表す斜視図である。
【図２】同脚フレームの使用状態を表す正面図である。
【図３】同側面図である。
【図４】同脚フレームを用いた架台ユニットの一例を表す斜視図である。
【図５】図２の架台ユニットを用いた二重床の一例を表す斜視図である。
【図６】図５の二重床の壁際の納まりを表す断面図である。
【図７】図１の脚フレームの製造手順を表す断面図である。
【図８】従来の二重床構造を表す斜視図である。
【符号の説明】
１０    …  脚フレーム
１１    …  脚部
１２    …  連結部
１３    …  支持部
１３ａ，１３ｂ  …  張り出し部
１３ｃ  …  ボルト孔
１３Ａ  …  梁材載置面
１４    …  ベースプレート
１５    …  レベル調整ボルト
１６，１７    …  ナット
１８    …  開口部
１９    …  肉盛り部
１９ａ  …  嵩上げ部
１９ｂ  …  勾配部
２０    …  梁材
３０    …  床パネル
Ｕ      …  架台ユニット
Ｇ      …  重量物設置領域
Ｉ      …  一般通路
Ｓ      …  主幹通路
Ｋ      …  空調機設置領域
Ｗ      …  壁
【図１】
2004278188.tif 000003
【図２】
2004278188.tif 000004
【図３】
2004278188.tif 000005
【図４】
2004278188.tif 000006
【図５】
2004278188.tif 000007
【図６】
2004278188.tif 000008
【図７】
2004278188.tif 000009
【図８】
2004278188.tif 000010